(57)【要約】      （修正有）【課題】端子装置と回路基板との間の接触の堅さを強化するため、弾性力を効率的に増大することができ、弾性疲労または変形を防止することが可能な端子装置を提供する。【解決手段】端子装置２２は、固定部２２０、弧状部２２２、接触部２２４、および接地部２２６とを備えている。端子装置２２は、固定部２２０により、ミニチュアモーターの本体上に固定されている。弧状部２２２は固定部２２０から突き出しており、弧状部２２２と固定部２２０との接続部は第１の支点Ｐ１として機能する。接触部２２４は、弧状部２２２からおれ曲がって突き出している。接地部２２６は、接触部２２４から突き出しており、回路基板との接続に使用される。【選択図】図４
0003144834.tif 000002
【実用新案登録請求の範囲】
【請求項１】
本体を有するミニチュアモータ用の、前記本体上に固定されていて回路基板との接続に使用する端子装置であって：
前記ミニチュアモーターの前記本体上に固定されている前記端子装置を固定している固定部と；
前記固定部から突き出ていて、固定部との接続部が第１の支点として機能する少なくとも１つの弧状部と；
前記の少なくとも１つの弧状部から折れ曲がって突き出ていて、前記の少なくとも１つの弧状部に接触するよう動作させることができて、それにより第２の支点を提供する接触部と；
前記接触部から突き出ていて、前記回路基板との接触に使用する接地部と；
を備えることを特徴とする端子装置。
【請求項２】
前記弧状部同士の接続部が第３の支点として機能する、請求項１の範囲に記載の端子装置。
【請求項３】
前記接地部が少なくとも１つの折り曲げ部分を備えていて、前記の各折り曲げ部同士の接続部が第４の支点として機能する、請求項１に記載の端子装置。
【請求項４】
前記端子装置の前記接地部が外力により押し下げられた時、前記の外力が前記の第２の支点により前記弧状部全体にわたって均等に分配される、請求項１に記載の端子装置。
【請求項５】
前記の外力が前記の第２の支点を通じて前記弧状部に印可された時、前記弧状部が前記ミニチュアモーターの出力軸に対して並行の方向に伸びる、請求項４に記載の端子装置。
【請求項６】
前記の外力が第２の支点を通じて前記弧状部に印可された時、前記弧状部が前記ミニチュアモーターの出力軸に対して垂直の方向に伸びる、請求項４に記載の端子装置。
【請求項７】
前記端子装置が銅でできていて、ニッケル、パラジウムおよび金により被覆されている、請求項１に記載の端子装置。
【考案の詳細な説明】
【技術分野】
【０００１】
本考案は、ミニチュアモーター用の端子装置に関連する。
【背景技術】
【０００２】
ミニチュアモーターとは、本業界においてサイズが５φ未満のもの、すなわちミニチュアモーターの直径が５ミリ未満のものを言う。ミニチュアモーターの始動電流および負荷電流は、小型モーターより数十ｍＡ異なっているか、あるいはそれ以上小さい場合もある。小型モーターのサイズは通例５φ以上大きいか、１０φ以上大きい場合もあり、小型モーターの始動電流および負荷電流は数百ｍＡである。
【０００３】
図１および図２について言うと、図１は先行技術のモーター１の側面図である。図２は、図１に示した端子８の外観図である。図１に示すように、モーター１は、モーター本体ア、モーターケース２、出力軸３、接点４、ブラケット５、ウエイト６、回路基板７、端子８、ホルダー１６、および脚１７を備えている。端子８は、接点４とその回路基板７における対応する事前設定された電気的接点を、たった１つの動作で電気的に接続させることができる。端子８は、接点４にハンダSで固定されている。
【０００４】
端子８は、薄いばねを折り曲げて形成されている。図２に示すように、端子８は、ハンダSによりモーター本体の接点４に固定されている取付具１０を備えている。端子８は、取付具１０の下部で内側に（ウエイト６に向かって）直角に折り曲げられた第１の部分１１を備えている。第１の部分１１は、モーターケース２の外周にそって、出力軸３に対して実質上平行に伸びている。端子８はまた、第１の部分１１の前端部をＵ字型に曲げた折り曲げ部Ｂを通って、第１の部分１１に対して実質上平行に伸びている第２の部分１２を備えている。端子８は、第２の部分１２の後端部から外側に突き出すように折り曲げられている第３の部分１３を備えている。第３の部分１３の後端部は、上部が表面がＡｕでメッキされている接地部１４を備えて形成された、折り曲げ部１３を備えて形成されている。接地部１４は、端子８と回路基板７におけるその対応する事前設定された電気的接点との電気的接続を保証する。
【０００５】
ただし、端子８は、第３の部分１３により第１の部分１に向かって折り曲げられているため、曲げによる伝導効率は主として、第１の部分１１の前端部にある折り曲げ部Bにより生じる。回路基板７を押し下げると、端子８の折り曲げ部Bの弾力性が悪化し、接地部１４と回路基板７との接触の堅さに影響を与え、そのため電流の伝導効率も低下してしまう。
【考案の開示】
【考案が解決しようとする課題】
【０００６】
さらに、端子８はモーターケース２により絶えず振動しているため、端子８が折り曲げ部Bのみにより支えられている場合には、容易に弾性疲労や変形すらも引き起こす。
【０００７】
そのため、前述の問題を克服するため、ミニチュアモーター用に新たな端子装置を設計する必要がある。
【０００８】
本考案の範囲は、端子装置と回路基板との間の接触の堅さを強化するため、弾性力を効率的に増大することができる端子装置を提供することである。
【０００９】
本考案の別の範囲は、弾性疲労または変形を防止することが可能な端子装置を提供することとである。
【課題を解決するための手段】
【００１０】
望ましい実施例にしたがい、本考案の端子装置は、ミニチュアモーターの本体上に固定されており、回路基板との接続のために使用する。端子装置は、固定部、弧状部、接触部、および接地部を備えている。端子装置は、固定部により、ミニチュアモーターの本体上に固定されている。弧状部は、固定部から突き出していて、弧状部と固定部との接続部が第１の支点として機能する。接触部は、弧状部から折り曲げられて突き出している。接触部は、弧状部に接触するように動作させることができ、それにより第２の支点が提供される。接地部は、接触部から突き出しており、回路基板との接続に使用する。
【００１１】
前述の実施例では、端子装置の接地部が外力により押し下げられると、その外力は第２の支点を通じて弧状部全体にわたって均等に分配される。さらに、第２の支点を通じて弧状部に外力が印可されると、弧状部はミニチュアモーターの出力軸に対して平行な方向に向かって伸びる。これにより、弾性力が効率的に増大することで、端子装置と回路基板との接触の堅さがすため、電流の伝導効率が向上する。さらに、本考案の端子装置は弾性力の支援として第１および第２の支点を利用しているため、弾性疲労または変形が生じる確率を効率的に下げることができる。本考案の利点および意図は、以下の叙述と添付図面を組み合わせることにより理解されるであろう。
【考案の効果】
【００１２】
（考案の望ましい実施例）
【００１３】
図３および図４について言えば、図３は、本考案のミニチュアモーター２０と端子装置２２の側面図である。図４は、図３に示した端子装置２２の外観図である。図３に示すように、端子装置２２は、ミニチュアモーター２０用として使用される。ミニチュアモーター２０は、本体２００、ウエイト２０２、および出力軸２０４を備えている。端子装置２２は、ミニチュアモーター２０の本体２００上に固定されており、回路基板２４との接続に使用する。端子装置２２は銅等でできており、選択的にニッケル、パラジウム、および金により被覆される。
【００１４】
図４に示すように、端子装置２２は、固定部２２０、弧状部２２２、接触部２２４、および接地部２２６とを備えている。端子装置２２は、固定部２２０により、ミニチュアモーター２０の本体２００上に固定されている。弧状部２２２は固定部２２０から突き出しており、弧状部２２２と固定部２２０との接続部は第１の支点Ｐ１として機能する。接触部２２４は、弧状部２２２からおれ曲がって突き出している。接地部２２６は、接触部２２４から突き出しており、回路基板２４との接続に使用される（図３に示す通り）。
【００１５】
図５について言えば、図５は、外力Ｆにより図４に示されている端子装置２２が押し下げられた時の概略図である。端子装置２２の接地部２２６が外力Fにより押し下げられると、接触部２２４は弧状部２２２と接触するよう動作させることができるようになり、第２の支点P２が提供される。すると、外力Fは第２の支点P２を通じて弧状部２２２全体に分配される。さらに、外力が第２の支点P２を通じて弧状部２２２にかかるると、弧状部２２２は、図５に示す矢印ｘの方向のように、ミニチュアモーター２０の出力軸２０４に対して平行な方向にそって伸張する。本実施例では、外力Fが第２の支点P２を通じて弧状部２２２にかかると、弧状部２２２は第１の支点P１を、図５に示す矢印ｙの方向のように、ミニチュアモーター２０の出力軸２０４に対して垂直の方向にそって移動するための回転軸として利用する。ただし指摘しておく必要があるのは、外力Fが弧状部２２２の前端部に作用する前に、弧状部２２２の前端部がミニチュアモーター２０の本体２００と接触していたと、実際の適用によっては、端子装置２２が外力Fにより押し下げられた時、弧状部２２２は出力軸２０４に対して平行な方向にそって伸張するだけとなる、ということである。さらに、端子装置２２の接触部２２４も、実際の適用によっては、外力Fにより押し下げられる前に、弧状部２２２と接触するよう設計することができる。
【００１６】
図６について言えば、図６は、本考案の別の望ましい実施例にしたがった端子装置２２‘の側面図である。端子装置２２’と端子装置２２との主な違いは、端子装置２２‘は２つの弧状部２２２ａおよび２２２ｂを備えていることである。弧状部２２２ａと２２２ｂとの接続部は、第３の支点P３とみなされる。この構成により、端子装置２２’の設計は、適用についてより多くのバリエーションを提供することができるようになる。図６に示す端子装置２２‘の原理および機能は、図３に示す端子装置２２と同じであるため、関連する説明はここでは記述しない。
【００１７】
図７について言えば、図７は、本考案の別の望ましい実施例にしたがった端子装置２２‘’の側面図である。端子装置２２‘’と端子装置２２との主な違いは、端子装置２２‘‘は２つの弧状部２２２ｃおよび２２２ｄを備えていることである。弧状部２２２ｃと２２２ｄとの接続部は、第３の支点P３とみなされる。この構成により、端子装置２２’‘の設計は、適用についてより多くのバリエーションを提供することができるようになる。図７に示す端子装置２２’‘の原理および機能は、図３に示す端子装置２２と同じであるため、関連する説明はここでは記述しない。
【００１８】
図８について言えば、図８は、本考案の別の望ましい実施例にしたがった端子装置２２‘’‘の側面図である。端子装置２２‘’と端子装置２２との主な違いは、端子装置２２‘‘‘の接地部２２６’‘’は２つの折り曲げ部２２６ａおよび２２６ｂを備えていることと、折り曲げ部２２６ａと２２６ｂとの接続部が第４の支点P４とみなされる、ということである。この構成により、端子装置２２’‘’の設計は、適用についてより多くのバリエーションを提供することができるようになる。図８に示す端子装置２２’‘’の原理および機能は、図３に示す端子装置２２と同じであるため、関連する説明はここでは記述しない。
【００１９】
先行技術と比べ、本考案の端子装置は、弧状部の成形により弾性力を効率的に増加することができるため、端子装置と回路基板との接触の堅さを増大させることで、電流の伝導効率を向上させることができる。さらに、本端子装置では、第１、第２、第３、および／または第４の支点を弾性力の支援として利用しているため、弾性疲労または変形を生じる確率を効率的に下げることができる。
【００２０】
上記の例および説明により、本考案の特徴および意図が良く説明されることを望む。当業者なら、本考案の講議を頭に置きながら、本装置に関する数々の修正および改造を行うことができることがわかるであろう。そのため、上記の開示は、添付する請求項の請求範囲の完全かつ正確に規定することによってのみ、限定されたとみなすべきである。
【図面の簡単な説明】
【００２１】
【図１】先行技術におけるモーターの側面図
【図２】図１に示した端子の外観図
【図３】本考案のミニチュアモーターおよび端子装置の側面図
【図４】図３に示した端子装置の外観図。
【図５】図４に示した端子装置を外力で押し下げた時の概略図
【図６】本考案の別の望ましい実施例にしたがった端子装置の側面図
【図７】本考案の別の望ましい実施例にしたがった端子装置の側面図
【図８】本考案の別の望ましい実施例にしたがった端子装置の側面図
【図１】
0003144834.tif 000003
【図２】
0003144834.tif 000004
【図３】
0003144834.tif 000005
【図４】
0003144834.tif 000006
【図５】
0003144834.tif 000007
【図６】
0003144834.tif 000008
【図７】
0003144834.tif 000009
【図８】
0003144834.tif 000010